(57)【要約】【課題】  脱臭のために靴の中に入れても、靴の中に入れたまま忘れることがなく、しかも靴の中に手を入れる必要なく取り出すことができ、また靴の中から取り出しながら靴を履くことによって靴すべりとしての役目をさせることができ、使い勝手の良い靴べらを提供する。【解決手段】  靴べら本体１を、靴３の爪先から履き口の後端部までの長さより長い寸法の細長い形状に屈曲自在なシート材８で形成し、靴べら本体１の少なくとも先部に脱臭剤２を設ける。靴べら本体１の基部を靴３の後部から突出させた状態で、靴べら本体１を靴３の内部に差し入れて使用される。また靴３を履く際に足を靴に入れるにあたって、靴べら本体１の先部が靴３の後端部内に位置するまで靴べら本体１を靴３から抜き出した状態で使用される。【選択図】  図１
2005052361.tif 000002
【特許請求の範囲】
【請求項１】
靴べら本体を、靴の爪先から履き口の後端部までの長さより長い寸法の細長い形状に屈曲自在なシート材で形成し、靴べら本体の少なくとも先部に脱臭剤を設けて成ることを特徴とする靴べら。
【請求項２】
靴べら本体の基部を靴の後部から突出させた状態で、靴べら本体を靴の内部に差し入れて使用されると共に、靴を履く際に足を靴に差し入れるにあたって、靴べら本体の先部が靴の履き口の後端部内に位置するまで靴べら本体を靴から抜き出した状態で使用されるものであることを特徴とする請求項１に記載の靴べら。
【発明の詳細な説明】
【技術分野】
【０００１】
本発明は、脱臭機能を有する靴べらに関するものである。
【背景技術】
【０００２】
靴を長時間履いていると足の蒸れなどで、靴の中に悪臭がこもり易い。そして家屋内や室内に靴を脱いで放置すると、靴の中から悪臭が居住空間に放散され、不快感を感じるという問題がある。また悪臭がこもっている靴を履くと、悪臭が足に移って、靴を脱いだ際に足が臭うことになるという問題もある。
【０００３】
そこで、活性炭等の脱臭剤を袋に詰めて形成される脱臭袋を用い、靴を脱いだ後に、この脱臭袋を靴の中に入れて、靴の中の悪臭を脱臭剤に吸着させて脱臭するようにしたものが従来から種々市販されているが、靴べらを利用して靴の中の悪臭を脱臭するようにしたものも提案されている（例えば特許文献１参照）。
【０００４】
この特許文献１のものは、携帯靴べらに活性炭等を内包させることによって消臭・脱臭の機能を与えたものであり、靴を脱いで臭いが気になったときに、携帯靴べらを靴の中に入れることによって、靴の中を脱臭することができるようにしたものである。
【特許文献１】実用新案登録第３０３７５３８号公報
【発明の開示】
【発明が解決しようとする課題】
【０００５】
しかし、特許文献１の発明にあって、携帯靴べらは手の平に収まる程度のコンパクトな大きさに形成されるものであり、靴を脱いだ後に、靴の中に携帯靴べらを入れて脱臭する場合、携帯靴べらは靴の中に隠れてしまう。従って、例えば前日の夕方に靴の中に携帯靴べらを入れ、翌日の朝に靴を履く場合など、靴の中に携帯靴べらを入れたのを忘れて気付かないまま、靴を履きかけてしまうことがあり、このときには履きかけた靴を一旦脱いで履き直すような必要があって、使い勝手に問題を有するものであった。また靴の中に入れた携帯靴べらを取り出すときには、靴の中に手を入れる必要があるが、あまり清潔とはいえない靴の中に手を入れることに抵抗を感じる人も多く、この点でも使い勝手が悪いという問題があった。
【０００６】
本発明は上記の点に鑑みてなされたものであり、脱臭のために靴の中に入れても、靴の中に入れたまま忘れることがなく、しかも靴の中に手を入れる必要なく取り出すことができ、また靴の中から取り出しながら靴を履くことによって靴すべりとしての役目をさせることができ、使い勝手良く使用することができる靴べらを提供することを目的とするものである。
【課題を解決するための手段】
【０００７】
本発明の請求項１に係る靴べらは、靴べら本体１を、靴３の爪先から履き口４の後端部までの長さより長い寸法の細長い形状に屈曲自在なシート材８で形成し、靴べら本体１の少なくとも先部に脱臭剤２を設けて成ることを特徴とするものである。
【０００８】
また請求項２の発明は、請求項１において、靴べら本体１の基部を靴３の後部から突出させた状態で、靴べら本体１を靴３の内部に差し入れて使用されると共に、靴３を履く際に足を靴３に入れるにあたって、靴べら本体１の先部が靴３の履き口４の後端部内に位置するまで靴べら本体１を靴３から抜き出した状態で使用されるものであることを特徴とするものである。
【発明の効果】
【０００９】
本発明によれば、脱臭のために靴べらを靴の中に差し入れても、靴べらの基部は靴の履き口から外に突出するものであり、靴べらを靴の中に入れたまま忘れて靴を履くというような不便はなくなると共に、靴の中に手を入れる必要なく靴べらを取り出すことができる。また靴べらを靴の中から引いて抜き出しながら靴を履くことによって、靴べらの先部を靴すべりとしての役目をさせることができ、使い勝手が良いものである。さらに、靴べらを靴の中に差し入れた状態で、靴べらの基部は履き口から靴の外に露出するために、靴べらの基部に印刷したメッセージを表示させることができ、コマーシャルなどに利用することも可能である。
【発明を実施するための最良の形態】
【００１０】
以下、本発明を実施するための最良の形態を説明する。
【００１１】
図１は本発明の実施の形態の一例を示すものであり、靴べら本体１は例えば長さが二十数ｃｍ〜三十数ｃｍ程度、幅が３ｃｍ〜７ｃｍ程度の細長い形状に形成してある。従って、靴べら本体１を靴３の後部上面の履き口４から靴３の中に差し入れることができると共に、靴べら本体１の全体が靴３の中に入ってしまわず、靴べら本体１の基部（後部）が履き口４の後端縁から靴３の外側に突出しているようにすることができる。また靴べら本体１は、靴べら本来の使用をするときには、その先部が靴すべり部６、基部が手で持つ取っ手部７となるものであり、靴すべり部６は取っ手部７よりやや幅広に形成してある。
【００１２】
靴べら本体１は、例えば丈夫な紙、不織布、樹脂シート、紙と樹脂フィルムのラミネートシートなど、屈曲し易く（腰があることも必要）、且つ摩擦の小さい薄いシート材で形成するようにしてある。図１の実施の形態では、２枚のシート材８，８を貼り合わせて靴べら本体３を形成するようにしてある。
【００１３】
そして靴べら本体１の先部には、脱臭剤２が設けてある。図１の実施の形態では、脱臭剤２の粉粒体を紙などの通気性を有する袋９に入れ、この袋９をシート材８，８の間に挟み込んだ状態でシート材８，８を貼り合わせることによって、脱臭剤２を靴べら本体３内に設けるようにしてある。靴べら本体３の脱臭剤２を内部に設けた部分には各シート材８に通気用の小孔１０を多数設け、脱臭剤２への通気性を確保するのが好ましい。勿論、シート材８自身が通気性を有するものであれば、通気用小孔１０は特に必要としない。
【００１４】
ここで、脱臭剤２としては、脱臭（消臭を含む）効果を有するものであれば何でもよく、例えば活性炭を用いることができる。活性炭は消臭効果の他に、殺菌効果、除湿効果なども有するので特に好ましいものであり、活性炭としては、木材、製材屑、ヤシ殻等を焼成した植物性炭素質や、竹炭、木炭、コークスなどを原料として作製したものを用いることができる。
【００１５】
図１の実施の形態では、脱臭剤２の粉粒体を通気性を有する袋９に入れてシート材８，８の間に挟み込むことによって、靴べら本体１に脱臭剤２を設けるようにしたが、シート材８が通気性を有するものであれば、脱臭剤２を袋９に入れるような必要はなく、脱臭剤２の粉粒体をシート材８，８の間に直接挟み込んでシート材８，８を貼り合わせるようにしてもよい。また、炭など脱臭剤２の粉末をインキに練り込み、この脱臭剤入りのインキを印刷することによって、脱臭性能を有する文字・模様等を形成することができるが、シート材８の表面にこの脱臭剤２入りのインキを印刷することによって、文字や模様で靴べら本体１の表面に脱臭剤２を設けることが可能である。このときには、２枚のシート材８を貼り合わせる必要がなく、１枚のシート材８で靴べら本体１を作製することができるものである。
【００１６】
そして上記のように靴べら本体１に脱臭剤２を設けて形成される靴べらＡにあって、靴べらＡには脱臭剤２が設けてあるので、脱いだ靴３の中を脱臭するために用いることができる。すなわち、図２に示すように、靴べらＡを履き口４から靴３の中に差し入れることによって、靴べら本体１の脱臭剤２を靴３の中に配置し、この脱臭剤２に臭いを吸着させることによって、靴３の中の脱臭を行なうことができるものである。ここで、靴べら本体１は屈曲自在に形成してあるので、靴３の内部形状に沿って奥の爪先まで容易に差し込むことができるものであり、また脱臭剤２は靴べら本体１の先部に設けてあるので、靴べらＡを靴３の爪先まで差し込むと、脱臭剤２は靴３の奥の方に配置されることになり、靴３の奥にこもり易い悪臭を効率良く脱臭することができるものである。尚、上記の実施の形態では、脱臭剤２は靴べら本体１の先部のみに設けてあるが、脱臭剤２は靴べら本体１の少なくとも先部に設けられておればよく、例えば上記の脱臭剤２入りのインキを印刷する場合など、靴べら本体１の全体に脱臭剤２を設けることもできるものである。
【００１７】
ここで、靴べらＡをその先端が爪先に至るまで靴３の中に差し入れても、靴べら本体１は靴３の爪先から後端に至るまでの長さより長く形成されているので、図２のように靴べらＡの基部は靴３の履き口４の後端縁から突出し、靴べらＡの全体が靴３の中に入り込んでしまうようなことはない。従って、靴３を履こうとするときに、靴３から突出している靴べらＡが目に付くことになるので、靴３に靴べらＡを差し入れたことを忘れていたとしても、靴３に靴べらＡを差し入れた状態のまま、靴３を履きかけてしまうようなことはなくなるものである。
【００１８】
次に、上記のように靴べらＡを差し込んだ靴３を履こうとするときには、まず靴べら本体１の基部の取っ手部７を掴んで、靴３から靴べらＡを引き出し、図３に示すように靴べら本体１の先部の靴すべり部６のみが靴３の後端部内に差し込まれている状態まで靴べらＡを抜く。そしてこの状態で、足１１を図３のように履き口４から靴３の中に入れることによって、足１１の踵１１ａと靴３の後端内面との間で靴すべり部６が靴すべりとしての役目を果たして、足１１を靴３の中にスムーズに入れることができるものである。この後、靴すべり部６を足１１の踵１１ａと靴３の後端内面の間から抜くことによって、靴べらＡを靴３から完全に取り出すことができるものである。このように、靴べらＡを靴３の中から引いて抜き出しながら靴３に足１１を入れるという一連の動作で、靴べらＡを靴すべりとしての役目をさせることができるものであり、使い勝手良く使用することができるものである。
【００１９】
また、靴３の中を脱臭するために靴３の中に差し込んだ靴べらＡを靴３から抜き出すにあたっては、図２のように靴３の履き口４から突出している靴べらＡの基部の取っ手部７を掴んで行なうことができるものであり、靴べらＡを靴３から取り出すために靴３の中に手を差し入れるような必要がなくなるものである。
【００２０】
本発明に係る靴べらＡは一般の家庭で用いることができるのは勿論であるが、薄いシート材８と少量の活性炭等の脱臭剤２とで一個当たりの単価を安価に作製でき、使い捨てにすることができるので、例えば、ホテル・旅館等の宿泊施設においてサービスの一環に提供することもできる。すなわち、宿泊施設に到着した客が脱いだ靴３に本発明に係る靴べらＡを差し込んでおき、翌日に客が出発する際にこの靴べらＡを靴すべりとして利用できるようにするものであり、宿泊客に対するきめの細かいサービスの提供をすることができるものである。このとき、靴べらＡのうち、靴３に靴べらＡを差し込んだときに履き口４から突出する基部の取っ手部７に、例えば、宿泊施設名、「ご利用ありがとうございます」「またのお越しをお待ち申し上げます」等の文章、靴べらＡの脱臭効果の説明文などのメッセージ１２を印刷して記入しておくことによって、コマーシャル効果を高く得ることができるものである。さらにこのように本発明に係る靴べらＡはコマーシャル効果を期待することができるので、景品として配布することもできるものである。
【図面の簡単な説明】
【００２１】
【図１】本発明の実施の形態の一例を示すものであり、（ａ）は斜視図、（ｂ）はイ−イ線断面図である。
【図２】本発明に係る靴べらの使用状態の一例を示す概略図である。
【図３】本発明に係る靴べらの使用状態の他の一例を示す概略図である。
【符号の説明】
【００２２】
１  靴べら本体
２  脱臭剤
３  靴
４  履き口
８  シート材
【図１】
2005052361.tif 000003
【図２】
2005052361.tif 000004
【図３】
2005052361.tif 000005